(57)【要約】      （修正有）【課題】周囲への視認性を高め、さらには、人手を借りることなく自動で点灯若しくは点滅し、ベビーカーのフロントパイプにズレ動くことなく着脱自在に設置することができる、安価なベビーカー用照明装置を提供する。【解決手段】電池を電源とし小型の光源であるＬＥＤを用いた照明部２と取付部３から構成し、取付部の弾性帯４をベビーカーのフロントパイプに巻きつけ着脱自在に取り付ける。さらには、照明部に光センサーと振動センサーを設置し、周囲の明るさが所定以下でかつ振動を感知すればＬＥＤを発光させ、照明部背面の約６０度に傾斜する円弧状曲面と、該傾斜角６０度と垂直に一端が照明部に固定され、他端に係止部１１を有する弾性帯で構成する。【選択図】図１
0003133636.tif 000002
【実用新案登録請求の範囲】
【請求項１】
電池を電源としＬＥＤを光源とする、照明部と取付部から成るベビーカー用照明装置であって、取付部の弾性帯をベビーカーのフロントパイプに巻きつけ着脱自在に取り付け使用することを特徴とするベビーカー用照明装置。
【請求項２】
照明部が、光センサーと振動センサーを備え周囲の明るさが所定以下でかつ振動を感知すれば、ＬＥＤが自動的に点灯若しくは点滅することを特徴とする請求項１に記載のベビーカー用照明装置。
【請求項３】
振動センサーが振動を感知すれば、ＬＥＤを所定回数点滅させる信号をだすことを特徴とする請求項２に記載のベビーカー用照明装置。
【請求項４】
取付部が、照明部背面の約６０度に傾斜する円弧状曲面と、該傾斜角６０度と直角に一端が照明部に固定され他端に係止部を有する弾性帯で構成されることを特徴とする請求項１から３に記載のベビーカー用照明装置。
【考案の詳細な説明】
【技術分野】
【０００１】
本考案は、ベビーカー用の照明装置に関するものである。
【背景技術】
【０００２】
従来より、照明装置が取り付けられたベビーカー、及びベビーカー用照明装置が報告されている。
【特許文献１】特開２００６−１６０１３５号公報
【考案の開示】
【考案が解決しようとする課題】
【０００３】
昨今、ベビーカーは小型軽量化され社会の自由な気風も手伝い、道路に限らず店舗や電車・バス等とその活用範囲や時間に大きな広がりをみせている。広がる活用と共に事故も増加し、視界の悪い時に、車や自転車がベビーカーの存在に気付くのが遅れて衝突する事例が多い。ベビーカーは小さく目立ち難く進行速度が非常に遅いことが特徴であり、事故にも反映される。例えば、薄暗く見通しの悪い交差点や曲がり角においてベビーカーが角にさしかかったところを、交差する道から角に向けて進行してくる車両が直ちに認識することは難しく、結果、車のブレーキが間に合わずベビーカーの側面に衝突する等である。このためベビーカーの照明装置は、前方を照らし道の状況を知るための手段だけではなく、むしろ街灯が整備されている昨今では、前方を照らす装置ではなく周囲への視認性を高め安全を確保することを主目的とした照明装置が望まれている。
【０００４】
特許文献１にある照明装置が取り付けられたベビーカーによれば、照明部は座席前に位置し乳幼児が手を置くなどするアームレストに一体に埋め込まれる。この位置はベビーカーの中心よりやや前方に位置するが、前述のように、目立ち難く速度の遅いベビーカーが周囲への視認性を高めるには照明装置の取り付け位置がどれだけベビーカーの前方にあるかが極めて重要であり、可能な限り最前部に設置するのが望ましい。また、このような照明装置付きベビーカーは無駄の少ない合理的な構造を得ることができるが、照明装置がついていない一般的なベビーカーを使用している人にとっては当然ながら価値がない。
【０００５】
次に、同文献にあるベビーカー用照明装置によれば、略Ｃ型の円弧状の取付部は、該円弧より僅かに太いフロントパイプには良好な取り付けが期待できるが、そうでない場合は取り付けは難しく、仮に良好な取り付けであっても経時的に取付部の締付力が低下し照明装置がズレ動くなどの支障がでる。
【０００６】
また、前述のとおりベビーカー用照明装置はベビーカーの最前部となるフロントパイプの前輪に近い位置に取り付けることが望まれるが、当該位置はベビーカーの前方下部であるため、ベビーカーを押す人からは遠く低いため照明装置の操作を手元で扱うことは困難であり、ベビーカーを静止させしゃがみこみながら点灯消灯のスイッチ操作をしなければならず、勾配などの路面状況や周囲の交通事情に配慮が必要な上、腰などに負担がかかる。
【０００７】
さらには、ベビーカーへの取り付けは、着脱自在でベビーカーの振動でズレ動くことがなくフロントパイプに設置されなければならないが、前輪付近のフロントパイプ周辺は車輪や他パイプなどが近接し混み入っていることが多く、多種多様なベビーカーがあることを考慮すれば照明装置、特に取付部は可能な限り小さくする必要があり、生産性とコストからは、部品点数が少なくシンプルな形状にすることが望まれる。
【課題を解決するための手段】
【０００８】
本考案は、周囲への視認性に優れた小型の照明装置とするために、電池を電源とし小型の光源であるＬＥＤを用いた照明部と取付部から構成し、取付部の弾性帯をベビーカーのフロントパイプに巻きつけ着脱自在に取り付け使用するベビーカー用照明装置とする。
【０００９】
さらには、必要な時に照明装置が自動で点灯若しくは点滅するものとし、照明部の内部に光センサーと振動センサーを設置し、周囲の明るさが所定以下でかつ振動を感知すればＬＥＤを発光させる。
【００１０】
さらには、振動センサーが振動を感知すれば所定時間のあいだＬＥＤを点灯させることが照明装置における従来技術であるが、振動センサーが振動を感知すると所定回数だけＬＥＤを点滅させれば、回路に時間的要素が不要となり電子回路のコストダウンが得られ、点滅によって周囲への視認性が大幅に向上し電池の消耗も少なくなるので好ましい。
【００１１】
さらに好ましくは、コンパクトで部品点数の少ない安価な照明装置とするため取付部を、照明部の背面を取付部として利用し、地面から約６０度で立ち上がるベビーカーのフロントパイプに取り付け良好かつ照明の中心方向がベビーカーの進行方向とほぼ同じくするために照明部背面に該フロントパイプの角度と断面形状に対応して約６０度に傾斜する円弧状曲面を備え、フロントパイプを良好に締め付けるために同様に約６０度の傾斜角と直角に一端が照明部に固定され他端に係止部を有する弾性帯で構成する。なお、傾斜角の６０度については、ベビーカーの構造的強度を主に考えて導きだされた数値であり種々のベビーカーで大差はなく、差があっても数度程であり手段目的及び効果に支障はない。
【考案の効果】
【００１２】
本考案のベビーカー用照明装置は周囲への視認性を高め、さらには、人手を借りることなく自動で点灯若しくは点滅し、照明装置の外表面に操作スイッチが無いシンプルな形態が得ることができ、ベビーカーのフロントパイプの前方部にズレ動くことなく着脱自在に設置することができる、安価なベビーカー用照明装置を提供できる利点がある。
【考案を実施するための最良の形態】
【００１３】
以下に本発明の実施例を図面に基づいて説明する。図１は本発明の実施例１のベビーカー用照明装置の正面図。図２は正面中央横断面参考図。図３は底面図。図４は斜視図。図５はベビーカーに取り付けた使用状態を示す参考図。図６は同じく使用状態を示す正面拡大参考図。図７は図６の斜視図。図８は実施例２の斜視図で図７に対応する。図９は実施例３の斜視図で同じく図７に対応する。
【実施例１】
【００１４】
図１から７において説明すれば、本発明のベビーカー用照明装置１は照明部２と取付部３から成り、取付部３は照明部背面の約６０度に傾斜する円弧状曲面１０と、照明部２の両側面にある突起１２に嵌合設置される弾性帯４より構成される。円弧状曲面１０は、ベビーカーのフレームパイプの多くが直径２２ｍｍであり、他はこれより小さい小径や多角形であるので、半径Ｒ１１ｍｍより若干大きい円弧で曲面を形成すれば良い。弾性帯４の端部には係止手段１１である嵌合穴が設けられ、嵌合突起１２に対応し嵌合される。弾性帯４は、嵌合突起１２を中心に回転可動するも良く、少なくとも取り付け時にフロントパイプ１４へ良好に巻きつくために該照明部背面の傾斜面と直角となれば良い。素材は対候性が良く滑り難いものが好ましく、詳しくはＣＲやＳＢＲ等の合成ゴム、或いはＳＥＢＳやＥＰＤＭ等の熱可塑性エラストマーを用い、各々プレス成形や射出成形で形成すれば良い。また、端面にスベリ止めのリブなど設置すれば使用上扱い易く好ましい。
【００１５】
照明部２の内部に、光センサーと振動センサーが組み込まれた回路基板８と、電池９、ＬＥＤ７が収納される。照明部２はミラーボール状にカットされたレンズ５と本体６から構成され、着脱可能な嵌め込み方法により液密に連結される。電池交換やメンテナンスの際はレンズ５を外し行えば良い。参考に別形態として、例えば本体６を２パーツ化し円弧状曲面側パーツを外して電池交換するなどは、部品点数は増えるが電池交換がよりスムース化されるので価値はある。レンズ５はＰＭＭＡやＰＣなどの透光性樹脂を用い射出成形すれば良好な生産性が得られ好ましく、本体６も金属など幅広い素材が考えられるがレンズ５同様に樹脂製が好ましい。回路基板８の光センサーは、光取入口１３を照明部２の上面に設置すれば街灯や車など周囲の光による不適切な作動が生じることがあるので下面に設置するのが良い。振動センサーは、例えば信号待ちで長時間立ち止まるなどの場合は消灯するように現実に則した設計をする。具体的には、ＬＥＤが点灯の場合は時間設定、点滅の場合は点滅回数を適切なものにする。電池９はコイン電池がコンパクトなので好ましく、ＬＥＤ７は照明として一般的な白色の点灯でも良いが注意を喚起し遠方まで波長が届く赤色の点滅などは効果的で好ましい。
【００１６】
ベビーカー用照明装置１は、図に示すように可能な限りベビーカーの前方に設置する。即ち、例えばベビーカーをゆっくり押し進めている人が、曲がり角から現れる場合を想定すると、曲がり角からベビーカーの前輪が現れてからアームレストが現れるまで約０．５秒の時間を要する（前輪からアームレストまでの水平距離３０ｃｍ）。時速６０ｋｍで走行する車は、その間に約８ｍ進行することになり、衝突のリスクや衝突のダメージを下げるために可能な限りベビーカーの前方に設置することが重要である。
【００１７】
図のようにベビーカー用照明装置１は、照明の中心方向がベビーカーの進行方向とほぼ同じになるよう設置される。レンズ５は全体が光るように設計されるので、光の照射範囲はベビーカー進行方向を中心に側面方向まで略半球状に及び周囲への良好な視認性を得る。
【実施例２】
【００１８】
図８について説明すれば、流線型の照明部で、弾性帯４は本体６の背面に設置される。
【実施例３】
【００１９】
図９について説明すれば、照明部背面が平面で、弾性帯４は２０ｃｍ程の長さでフロントパイプに複数回巻きつけて本体側面に嵌合設置される。
【産業上の利用可能性】
【００２０】
自転車や単車のハンドル等にも取り付け利用できるが、特にベビーカー同様に小さく目立ち難く進行速度が非常に遅いことが特徴であり構造も類似している、年配者が散歩や買い物の際に使われる介護カーや歩行車、或いは車椅子などに最適である。
【図面の簡単な説明】
【００２１】
【図１】本発明のベビーカー用照明装置の正面図。（実施例１）
【図２】正面中央横断面参考図。（実施例１）
【図３】底面図。（実施例１）
【図４】斜視図。（実施例１）
【図５】ベビーカーに取り付けた使用状態を示す参考図。（実施例１）
【図６】取り付け付近を拡大した使用状態を示す正面拡大参考図。（実施例１）
【図７】同じく、図６の斜視図。（実施例１）
【図８】実施例２の斜視図で図７に対応する。（実施例２）
【図９】実施例３の斜視図で同じく図７に対応する。（実施例３）
【符号の説明】
【００２２】
１    ベビーカー用照明装置
２    照明部
３    取付部
４    弾性帯
５    レンズ
６    本体
７    ＬＥＤ
８    回路基板
９    電池
１０    円弧状曲面
１１    係止手段
１２    嵌合突起
１３    光取入口
１４    フロントパイプ
１５    アームレスト
【図１】
0003133636.tif 000003
【図２】
0003133636.tif 000004
【図３】
0003133636.tif 000005
【図４】
0003133636.tif 000006
【図５】
0003133636.tif 000007
【図６】
0003133636.tif 000008
【図７】
0003133636.tif 000009
【図８】
0003133636.tif 000010
【図９】
0003133636.tif 000011